(57)【要約】【課題】机の上を有効に利用することができる筆箱を提供すること。【解決手段】本発明である筆箱は、略直方体形状の本体と、本体の少なくとも１つの表面側に、筆記具を収容する外周形状が略長方形形状の収容領域と、収容領域の開口面に対して開閉可能なよう設けられ、当該収容領域の外周を形成する所定の一辺で本体と連結された蓋体と、備える。そして、収容領域を囲う側壁のうち、蓋体が連結された収容領域の辺にそれぞれ直交すると共に相互に対向する２つの側壁に、当該収容領域の開口面から当該収容領域の深さ方向に向かって切除された切除部をそれぞれ設け、蓋体が収容領域に対して開いた状態で、当該蓋体が収容領域の開口面と所定の角度をなすよう、当該蓋体を支持する支持機構をさらに備える。【選択図】図３
2018130262.tif 000002
【特許請求の範囲】
【請求項１】
略直方体形状の本体と、
前記本体の少なくとも１つの表面側に、筆記具を収容する外周形状が略長方形形状の収容領域と、
前記収容領域の開口面に対して開閉可能なよう設けられ、当該収容領域の外周を形成する所定の一辺で前記本体と連結された蓋体と、
を備えた筆箱であって、
前記収容領域を囲う側壁のうち、前記蓋体が連結された前記収容領域の辺にそれぞれ直交すると共に相互に対向する２つの側壁に、当該収容領域の開口面から当該収容領域の深さ方向に向かって切除された切除部をそれぞれ設け、
前記蓋体が前記収容領域に対して開いた状態で、当該蓋体が前記収容領域の開口面と所定の角度をなすよう、当該蓋体を支持する支持機構を備えた、
筆箱。
【請求項２】
請求項１に記載の筆箱であって、
前記収容領域に形成された２つの前記切除部は、前記蓋体が連結された前記収容領域の辺と平行な同一直線上にそれぞれ位置して設けられている、
筆箱。
【請求項３】
請求項１又は２に記載の筆箱であって、
前記収容領域のうち、２つの前記切除部の間を直線で結ぶ箇所は、当該切除部間が連通するよう形成されている、
筆箱。
【請求項４】
請求項１乃至３のいずれかに記載の筆箱であって、
前記切除部は、当該切除部が形成された前記収容領域の各前記側壁が、前記蓋体が連結された前記収容領域の辺に対向する辺と連結する箇所付近に形成されている、
筆箱。
【請求項５】
請求項１乃至４のいずれかに記載の筆箱であって、
前記支持機構は、前記蓋体が前記収容領域に対して開いた状態で、当該蓋体が前記収容領域の開口面と９０度以内の角度をなすよう、当該蓋体を支持する、
筆箱。
【請求項６】
請求項５に記載の筆箱であって、
前記支持機構は、前記蓋体の内側面に固定装備され、当該内側面から突出するフックを備える共に、所定の長さを有する支持部材を備え、
前記支持部材は、前記フックと前記収容領域とに両端が当接することにより、前記蓋体が前記収容領域に対して開いた状態で当該蓋体を支持するよう構成されている、
筆箱。
【発明の詳細な説明】
【技術分野】
【０００１】
本発明は、筆箱にかかり、特に、開閉する蓋を有する筆箱に関する。
【背景技術】
【０００２】
特許文献１，２に示すように、略直方体であり、蓋が開閉するよう設けられた筆箱が知られている。このような筆箱は、表裏面のそれぞれに蓋が設けられており、表面側と裏面側とにそれぞれ収納部が形成されている。例えば、表面側の収納部は、複数の領域に区分けされて構成されており、鉛筆を収納可能な領域や消しゴムを収容可能な領域が形成されている。また、裏面側の収納部は、平坦に形成されていて、三角定規などを収容可能なよう形成されている。このように、筆記具毎に収容領域が設定されており、子供でも使いやすい構成となっている。
【先行技術文献】
【特許文献】
【０００３】
【特許文献１】登録実用新案第３０８７２７５号公報
【特許文献２】登録実用新案第３００８９１４号公報
【発明の概要】
【発明が解決しようとする課題】
【０００４】
しかしながら、上述したような筆箱は、形状が大きく、机の上で広い領域を占めてしまう。このため、机の上に教科書やノートを広げることの妨げとなることもあり、机の上を有効利用することができない、という問題が生じうる。
【０００５】
このため、本発明の目的は、机の上を有効に利用することができる筆箱を提供することにある。
【課題を解決するための手段】
【０００６】
本発明の一形態である筆箱は、
略直方体形状の本体と、
前記本体の少なくとも１つの表面側に、筆記具を収容する外周形状が略長方形形状の収容領域と、
前記収容領域の開口面に対して開閉可能なよう設けられ、当該収容領域の外周を形成する所定の一辺で前記本体と連結された蓋体と、
を備えた筆箱であって、
前記収容領域を囲う側壁のうち、前記蓋体が連結された前記収容領域の辺にそれぞれ直交すると共に相互に対向する２つの側壁に、当該収容領域の開口面から当該収容領域の深さ方向に向かって切除された切除部をそれぞれ設け、
前記蓋体が前記収容領域に対して開いた状態で、当該蓋体が前記収容領域の開口面と所定の角度をなすよう、当該蓋体を支持する支持機構を備えた、
という構成をとる。
【０００７】
また、上記筆箱では、
前記収容領域に形成された２つの前記切除部は、前記蓋体が連結された前記収容領域の辺と平行な同一直線上にそれぞれ位置して設けられている、
という構成をとる。
【０００８】
また、上記筆箱では、
前記収容領域のうち、２つの前記切除部の間を直線で結ぶ箇所は、当該切除部間が連通するよう形成されている、
という構成をとる。
【０００９】
また、上記筆箱では、
前記切除部は、当該切除部が形成された前記収容領域の各前記側壁が、前記蓋体が連結された前記収容領域の辺に対向する辺と連結する箇所付近に形成されている、
という構成をとる。
【００１０】
また、上記筆箱では、
前記支持機構は、前記蓋体が前記収容領域に対して開いた状態で、当該蓋体が前記収容領域の開口面と９０度以内の角度をなすよう、当該蓋体を支持する、
という構成をとる。
【００１１】
また、上記筆箱では、
前記支持機構は、前記蓋体の内側面に固定装備され、当該内側面から突出するフックを備える共に、所定の長さを有する支持部材を備え、
前記支持部材は、前記フックと前記収容領域とに両端が当接することにより、前記蓋体が前記収容領域に対して開いた状態で当該蓋体を支持するよう構成されている、
という構成をとる。
【発明の効果】
【００１２】
本発明の筆箱は、以上のように構成されることにより、収容領域の側壁に設けられた切除部と、開いた状態で支持された蓋体と、を利用することで、教科書やノートなどの書物を立てかけることができ、机の上の有効利用を図ることができる。
【図面の簡単な説明】
【００１３】
【図１】本発明における筆箱の外観構成を示す図である。
【図２】図１に開示した筆箱から蓋体を取り除いたときの構成を示す図である。
【図３】図１に開示した筆箱を側方から見た構成を示す図である。
【図４】図３（ｂ）に開示した筆箱を正面から見た構成を示す図である。
【図５】図４に開示した筆箱にノートを立てかけたときの様子を示す図である。
【図６】図６に開示したノートを立てかけた筆箱を側方から見た図を示す図である。
【発明を実施するための形態】
【００１４】
本発明の実施形態を、図１乃至図６を参照して説明する。まず、図１は、筆箱の外観構成を示す図であり、図１（ａ）は平面図、図１（ｂ）は正面図を示す。
【００１５】
図１に示すように、筆箱１は、略直方体形状の本体２０を有している。そして、筆箱１は、本体２０に対して、図１（ａ）に示す表面側つまり図１（ｂ）の上側の面に配置された表蓋１０（蓋体）と、その裏側つまり図１（ｂ）の下側の面に配置された裏蓋４０と、を備えている。
【００１６】
図２は、筆箱１から表蓋１０を取り除いた構成を示しており、筆箱１の表面側の内部構造つまり本体２０の表面側の構造を示している。ここで、図２（ａ）は平面図、図２（ｂ）は正面図を示す。図２（ａ）に示すように、本体２０の表面側には、外周形状が略長方形形状であり、筆記具を収容可能な収容領域が形成されている。収容領域は、周囲が４つの側壁２０ａ，２０ｂ，２０ｃ，２０ｄで囲まれた空間で形成されており、本実施形態では、収容領域の内部がさらに仕切り板で複数の空間に分割されている。なお、図示しないが、本体２０の裏面側にも収容領域が形成されている。
【００１７】
また、上述した表蓋１０は、略長方形形状の収容領域の外周を形成する一辺、具体的には、図２（ａ）の上側に位置する長辺２０ａに、回転可能なよう連結して設けられている。これにより、表蓋１０によって、収容領域の開口面を開いたり閉じたりすることができる。また、裏蓋４０も同様に、裏面側の収容領域の外周を形成する一辺に回転可能なよう連結して設けられており、収容領域の開口面を開閉することができる。
【００１８】
また、図２及び図３に示すように、本体２０の表面側の収容領域を囲う側壁２０ａ，２０ｂ，２０ｃ，２０ｄのうち、相互に対向する短辺２０ｂ，２０ｃには、開口面から深さ方向に向かって切除された切除部２３がそれぞれ設けられている。具体的には、上述した表蓋１０が連結されている収容領域の長辺に位置する側壁２０ａに対してそれぞれ直交する２つの短辺に位置する側壁２０ｂ，２０ｂ上であって、当該表蓋１０が連結された側壁２０ａと対向する他の長辺に位置する側壁２０ｄとの連結箇所付近に、切除部２３が形成されている。つまり、切除部２３は、表蓋１０が本体２０に回転可能なよう連結されている箇所から、各側壁２０ｂ，２０ｃの最も離れた位置に形成されている。なお、図３（ａ）は筆箱１の側面図であり、図３（ｂ）は表蓋１０を開いたときの状態を示す側面図である。
【００１９】
上述したように形成された２つの切除部２３は、図２（ａ）に示すように、表蓋１０が連結された収容領域の側壁２０ａと平行な同一直線上にそれぞれ位置していると言える。そして、このとき、２つの切除部２３の間を直線で結ぶ箇所、つまり、表蓋１０が連結された収容領域の長辺と対向する長辺に位置する側壁２０ｄに沿って隣接する箇所は、切除部２３間が連通する連通路２２が形成されている。換言すると、図２に示すように、収容領域の切除部２３間の連通路２２には、仕切り板が設けられていない。但し、図２（ａ）に示すように、側壁２０ｄの中央付近には、図１（ａ）に示す表蓋１０の回動端の中央に設けられた止め金具１１に対応して、当該止め金具１１を磁力によって引きつけるマグネット２１が設けられている。
【００２０】
さらに、本発明における筆箱１は、図３（ｂ）に示すように、表蓋１０が開いた状態で当該表蓋１０を支持する支持機構として、フック３１と支持板３２（支持部材）とを備えている。フック３１は、板状部材の一端が曲折された形状に形成されており、表蓋１０の内側面に固定装備されている。つまり、フック３１は、図３（ｂ）及び図４に示すように、表蓋１０の回動端側で本体２０側に突出した状態となる。また、支持板３２は、略長方形形状の板部材であり、図３（ｂ）及び図４に示すように、長手方向の一端がフック３１の曲折箇所に当接し、他端が本体２０の収容領域に当接するよう配置される。例えば、支持板３２の他端は、上述した連通路２２内に当接する。
【００２１】
ここで、上記支持板３２の長さは、図３（ｂ）に示すように、一端がフック３１に、他端が本体２０の収容領域の連通路２２内に、それぞれ当接して、表蓋１０が収容領域に対して開いた状態となるよう支持したときに、表蓋１０が収容領域の開口面と９０度以内の角度をなすよう設定されている。なお、支持板３２は、例えば、裏面側の収容領域に収容可能な大きさに形成されている。
【００２２】
そして、上述したように支持板３２で表蓋１０が開いた状態とすることで、図５及び図６に示すように、本やノートといった書物Ｎを立てかけることができる。具体的には、書物Ｎの下端を、収容領域に形成された連通路２２及び切除部２３に収容させて支持し、また、書物Ｎの上部を、開いた表蓋１０の開口端に立てかけて支持する。これにより、机の上に筆箱を置いた場合であっても、かかる筆箱に書物Ｎを立てかけることができ、机の上の有効利用することができる。
【００２３】
なお、図示していないが、表蓋１０と本体２０とを所定の長さの紐で連結しておくことで、表蓋１０がさらに開く方向に回転することを防止することができる。また、上記フックに代えて、棒状部材（つかえ棒）によって表蓋１０を開いた状態に維持できるようにしてもよい。
【００２４】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００２５】
１  筆箱
１０  表蓋
１１  止め金具
２０  本体
２０ａ，２０ｂ，２０ｃ，２０ｄ  側壁
２１  マグネット
２２  連通路
２３  切除部
３１  フック
３２  支持板
４０  裏蓋
【図１】
2018130262.tif 000003
【図２】
2018130262.tif 000004
【図３】
2018130262.tif 000005
【図４】
2018130262.tif 000006
【図５】
2018130262.tif 000007
【図６】
2018130262.tif 000008